(57)【特許請求の範囲】
【請求項１】
引き違い開閉式のサッシにおいて、一方のサッシの上部横枠に沿って横送り動作可能に設けられた主動側の回転横送り部材と、この回転横送り部材を正逆回転駆動する電動モータと、他方のサッシのサッシ枠と前記回転横送り部材とを連結して該回転横送り部材に平行する方向に移動可能な従動側のプッシュプルシャフトとを備え、電動モータの回転駆動による回転横送り部材の横送り動作で該回転横送り部材とプッシュプルシャフトとを相対平行運動させてサッシ相互を自動開閉させるように構成すると共に、前記一方のサッシのサッシ枠上部には、前記電動モータと回転横送り部材を常時隠蔽し且つサッシ開閉時に前記プッシュプルシャフトが出没可能なカバー部材を設け、前記電動モータと前記主動側の回転横送り部材、前記プッシュプルシャフトとを前記カバー部材に予め組付けてユニット化し、一方のサッシの上部横枠に前記カバー部材を取り付けると共に、前記プッシュプルシャフトの一端を他方のサッシの一方の縦枠上部に取付け固定することを特徴とする電動サッシ。
【請求項２】
前記サッシは、何れか一方のサッシを閉位置でサッシ外枠に固定しておくためのキャッチャーを備えていることを特徴とする請求項１記載の電動サッシ。
【発明の詳細な説明】
【０００１】
【発明の属する技術分野】
この発明は、引き違い開閉式サッシの電動化を図った電動サッシに関するものである。
【０００２】
【従来の技術】
従来の引き違い開閉式のサッシは、サッシ枠にガラス等の面板を嵌め込んだ構成となっていて、それをサッシ外枠の上下レール部間に嵌め込んで人為的操作でのみ開閉できるようにしている。
【０００３】
【発明が解決しようとする課題】
従来の引き違い開閉式のサッシは以上のように構成されているので、人為的操作でしか開閉することができず、このため、例えば高齢者や身障者等にあってはサッシの開閉操作に困難を来すという課題があった。
【０００４】
この発明は上記のような課題を解決するためになされたもので、引き違い開閉式のサッシを容易に自動開閉できると共に、既設または市販のサッシをそのまま適用して電動化することが可能な電動サッシを得ることを目的とする。
【０００５】
【課題を解決するための手段】
請求項１の発明に係る電動サッシは、引き違い開閉式のサッシにおいて、一方のサッシの上部横枠に沿って横送り動作可能に設けられた主動側の回転横送り部材と、この回転横送り部材を正逆回転駆動する電動モータと、他方のサッシのサッシ枠と前記回転横送り部材とを連結して該回転横送り部材に平行する方向に移動可能な従動側のプッシュプルシャフトとを備え、電動モータの回転駆動による回転横送り部材の横送り動作で該回転横送り部材とプッシュプルシャフトとを相対平行運動させてサッシ相互を自動開閉させるように構成すると共に、前記一方のサッシのサッシ枠上部には、前記電動モータと回転横送り部材を常時隠蔽し且つサッシ開閉時に前記プッシュプルシャフトが出没可能なカバー部材を設け、前記電動モータと前記主動側の回転横送り部材、前記プッシュプルシャフトとを前記カバー部材に予め組付けてユニット化し、一方のサッシの上部横枠に前記カバー部材を取り付けると共に、前記プッシュプルシャフトの一端を他方のサッシの一方の縦枠上部に取付け固定するものである。
【０００７】
請求項２の発明に係る電動サッシは、何れか一方のサッシを閉位置でサッシ外枠に固定しておくためのキャッチャーを備えているものである。
【０００８】
【発明の実施の形態】
図１はこの発明の実施の形態による電動サッシの概略的な正面図、図２は図１の要部拡大斜視図、図３は図１のＡ−Ａ線断面図、図４は図１のＢ−Ｂ線断面図である。
図において、１，２は引き違い開閉式のサッシ、３，４はそれらのサッシ枠（サッシ障子枠）であり、これらのサッシ枠３，４は、中空部材からなる左右のサッシ縦枠３１，３２，４１，４２と上下のサッシ横枠３３，３４，４３，４４とからなって、ガラス等の面板５、６とが取り付けられている。
【０００９】
７は建物のサッシ開閉用開口に据え付けられたサッシ外枠であり、このサッシ外枠７に前記サッシ１，２相互が引き違い開閉自在に組付けられている。８は前記サッシ１，２相互を全閉位置でロックするための鍵である。
【００１０】
９はサッシ１，２の電動化ユニットであり、この電動化ユニット９は、電動モータ１０と、この電動モータ１０で正逆回転駆動されて一方のサッシ１の上部横枠３３に沿った方向に横送り動作する主動側の回転横送り部材１１と、他方のサッシ２のサッシ枠４と前記回転横送り部材１１とを連結して該回転横送り部材１１に平行する方向に移動可能なプッシュプルシャフト１２とを備えた構成となっている。
【００１１】
更に詳しく述べると、前記回転横送り部材１１は、一方のサッシ１の上部横枠３３に沿って前記電動モータ１０で正逆回転駆動される無端ベルトから成っている。この無端ベルト１１は、前記一方のサッシ１における一方（図中左側）の縦枠３１上部に取り付けられている電動モータ１０の出力軸に嵌着された駆動プーリー１０ａと、前記一方のサッシ１における他方（図中右側）の縦枠３２上部に回転自在に配置された遊動プーリー１０ｂとに巻回されている。
【００１２】
また、前記プッシュプルシャフト１２は、他方のサッシ２における一方（図中左側）の縦枠４１の上部に取り付けられた固定ブラケット１３に一端が連結され、且つ他端が、前記無端ベルト１１に固着された可動ブラケット１４に連結されている。
【００１３】
従って、前記無端ベルト（回転横送り部材）１１とプッシュプルシャフト１２は、電動モータ１０の正逆回転駆動により相対平行運動するようになっており、その相対平行運動によってサッシ１，２相互が相対的に開閉動作するようになっている。
【００１４】
図５は電動化ユニットの平面図、図６はその電動化ユニットのカバー部材を断面して示す図５の正面図である。
図において、１５は前記電動化ユニット９のカバー部材であり、このカバー部材１５は前記一方のサッシ１の上部横枠３３に取り付けられて、プーリー１０ａ，１０ｂおよび前記無端ベルト（回転横送り部材）１１と可動ブラケット１４のそれぞれを隠蔽し、且つ、サッシ１，２の開閉動作時にプッシュプルシャフト１２がカバー部材１５から出没するようになっている。
【００１５】
なお、図６では電動モータ１０がカバー部材１５の外部に露出した状態となっているが、このカバー部材１５は電動モータ１０をも覆うものであってもよい。
【００１６】
また、前記電動化ユニット９の構成要素、即ち、電動モータ１０とプーリー１０ａ，１０ｂおよび無端ベルト１１、可動ブラケット１４、プッシュプルシャフト１２と固定側ブラケット１３は前記カバー部材１５に予め組付けてユニット化されたものであってよい。
【００１７】
この場合、一方のサッシ１の上部横枠３３にカバー部材１５をネジ止め等して取り付けると共に、プッシュプルシャフト１２の固定側ブラケット１３を他方のサッシ２の一方の縦枠４１上部に取け付け固定することにより、例えば既存または市販のサッシ１，２に対しても前記電動化ユニット９を容易に組付けることができる。
【００１８】
次に動作について説明する。
サッシ１，２相互が全閉された状態において、通常のスイッチ操作または遠隔スイッチ操作により電動モータ１０をサッシ開方向に起動させると、無端ベルト１１が回転駆動される。
【００１９】
その無端ベルト１１の回転により、これと一体の可動ブラケット１４が横送りされる状態となって、前記無端ベルト１１とプッシュプルシャフト１２とが短縮方向に相対平行運動を行うことにより、サッシ１，２相互が開動作する。
【００２０】
従って、サッシ１，２の開状態から電動モータ１０をサッシ閉方向に起動させれば、無端ベルト１１とプッシュプルシャフト１２とが今度は伸長方向に相対平行運動することとなって、サッシ１，２相互が閉動作する。
【００２１】
以上は、サッシ１，２相互を相対的に自動開閉させる場合であるが、サッシ１，２の何れか一方のみを自動開閉させることもできる。
【００２２】
この場合、例えば図３に示すように、一方のサッシ１を閉位置で停止させておくためのマグネット等のキャッチャー１６を設けておけば、前記電動モータ１０の正逆回転起動により、他方のサッシ２のみを自動開閉させることができる。
【００２３】
なお、上述した実施の形態において、回転横送り部材１１は無端ベルトに限られるものでなく、プッシュプルシャフト１２を横送り作動させ得るものであればよく、また、前記キャッチャー１６にあってもマグネットに限らず、サッシ１，２の何れか一方をサッシ外枠７に人為的操作でロックおよびロック解除できるものであってもよい。
【００２４】
また、電動モータ１０は図示省略の電源に接続されるが、その電源接続手段としては、例えば、サッシ外枠７のレール部に沿った直線状の電源側固定電極と、サッシ枠３，４に装着されて前記電源側固定電極に接触する摺動端子とを備えた構成とするか、電動モータ１０の電力を供給する充電池を備え、該充電池がサッシの全閉位置または定位置で電源と接続されるようにしてよく、さらには、電動モータ１０に接続させた太陽電池をサッシに装備してもよい。
【００２５】
【発明の効果】
以上のように、請求項１の発明によれば、電動モータの正逆回転駆動による回転横送り部材の横送り作動により、該回転横送り部材とプッシュプルシャフトとが相対平行運動することによって、サッシ相互を自動開閉させることができ、構成が簡単であると共に、既存または市販のサッシを容易に電動化できると共に容易にユニットを組付けることができるという効果がある。また、電動モータおよび回転横送り部材がカバー部材で常時隠蔽され、且つサッシ開閉時に該カバー部材からプッシュプルシャフトが出没するようになっているので、意匠的美観が得られると共に、サッシ電動化部分の塵埃の付着を極力抑えることができる効果がある。
【００２７】
請求項２の発明によれば、何れか一方のサッシをキャッチャーでサッシ外枠に固定しておくことにより、該サッシ外枠に固定されていない片側サッシのみを自動開閉することができる効果がある。
【図面の簡単な説明】
【図１】この発明の実施の形態による電動サッシの概略的な正面図である。
【図２】図１の要部拡大斜視図である。
【図３】図１のＡ−Ａ線断面図である。
【図４】図１のＢ−Ｂ線断面図である。
【図５】サッシ電動化ユニットの平面図である。
【図６】図５のサッシ電動化ユニットのカバー部材を断面してそのサッシ電動化ユニット部材を示す正面図である。
【符号の説明】
１，２  サッシ
３，４  サッシ枠
３３，４３  上部横枠
１０  電動モータ
１１  回転横送り部材
１２  プッシュプルシャフト
１５  カバー部材
１６  キャッチャー
【図１】
0003748920.tif 000002
【図２】
0003748920.tif 000003
【図３】
0003748920.tif 000004
【図４】
0003748920.tif 000005
【図５】
0003748920.tif 000006
【図６】
0003748920.tif 000007